(57)【要約】【課題】本願発明は、スノーボード用ビンディングに係わり、さらに詳しくはビンディングに一つのワイヤを巻き取って作動させることにより、スノーボードのデッキ（Ｄｅｃｋ）にブーツを固定できるようにしたスノーボード用ビンディングに関する。【解決手段】すなわち、本願発明は、スノーボード用ブーツをデッキに固定させるビンディングにおいて、前記ブーツのかかと部が密着するハイバック（ｈｉｇｈ  ｂａｃｋ）が、その後端で回動可能に結合されるベースプレートと、該ベースプレートの両側から少なくとも一地点ずつそれぞれ連結されて、ブーツを覆いながら加圧するよう備えられるストラップ（ｓｔｒａｐ）と、該ストラップの上面の適正位置に備えられて、前記ベースプレートとストラップとの引力（ｇｒａｖｉｔａｔｉｏｎ）を分散させてブーツが加圧され得るように設けられる締め手段とを備えてなることを特徴とするスノーボード用ビンディングに関する。【選択図】図１
2009505772.tif 000002
【特許請求の範囲】
【請求項１】
スノーボード用ブーツをデッキに固定させるビンディングにおいて、
前記ブーツのかかと部が密着するハイバック（ｈｉｇｈ  ｂａｃｋ）１０４が、その後端で回動可能に結合されるベースプレート１０２と、
該ベースプレート１０２の両側から少なくとも一地点ずつそれぞれ連結されてブーツを覆いながらワイヤＷによって加圧するよう備えられるストラップ（ｓｔｒａｐ）１１０と、
該ストラップ１１０の上面の適正位置に備えられて、前記ベースプレート１０２とストラップ１１０との引力（ｇｒａｖｉｔａｔｉｏｎ）を分散させてブーツＢが加圧され得るように設けられる締め手段１２０とを備えてなることを特徴とするスノーボード用ビンディング。
【請求項２】
前記ストラップ１１０が、
前記ブーツＢの足甲部を覆うことができるように適正面積をもって備えられる軟質の接触部材１１２と、
該接触部材１１２の一側前後端に所定距離離隔した状態でそれぞれ備えられ、前記ベースプレート１０２の一側前後端の複数地点にそれぞれ固定できるように設けられる板状の固定部材１１４と、
前記接触部材１１２の他側前後端に所定距離離隔した状態で備えられ、前記ベースプレート１０２の他側前後端の複数地点でそれぞれ結合又は分離できるように備えられる結着手段１１６と、
前記接触部材１１２と、結着手段１１６と、固定部材１１４との向かい合う対向面ごとに複数個ずつ両端がそれぞれ固定された状態で備えられるチューブ状の被覆材１１８とからなることを特徴とする請求項１記載のスノーボード用ビンディング。
【請求項３】
前記ストラップ２１０が、
前記ブーツＢの足甲部と足指部とを一度に覆うことができるように適正面積をもって備えられる軟質の接触部材２１２と、
該接触部材２１２の一側前後端に所定距離離隔した状態でそれぞれ備えられ、前記ベースプレート２０２の一側前後端の複数地点にそれぞれ固定できるように設けられる固定部材２１４と、
前記接触部材２１２の他側前後端に所定距離離隔した状態で備えられ、前記ベースプレート２０２の他側前後端の複数地点でそれぞれ結合又は分離できるように備えられる結着手段２１６と、
前記接触部材２１２と、結着手段２１６と、固定部材２１４との向かい合う対向面ごとに複数個ずつ両端がそれぞれ固定された状態で備えられる被覆材２１８とからなることを特徴とする請求項１記載のスノーボード用ビンディング。
【請求項４】
前記ストラップ３１０が、
前記ブーツＢの足甲部及び足首部を一度に覆うことができるように適正面積をもって備えられる軟質の接触部材３１２と、
該接触部材３１２の一側の適正間隔ごとに所定距離離隔した状態でそれぞれ備えられ、前記ベースプレート３０２の一側の複数地点にそれぞれ固定できるように設けられる固定部材３１４と、
前記接触部材３１２の他側の適正間隔ごとに所定距離離隔した状態で備えられ、前記ベースプレート３０２の一側の複数地点でそれぞれ結合又は分離できるように備えられる結着手段３１６と、
前記接触部材３１２と、結着手段３１６と、固定部材３１４との向かい合う対向面ごとに複数個ずつ両端がそれぞれ固定された状態で備えられる被覆材３１８とからなることを特徴とする請求項１記載のスノーボード用ビンディング。
【請求項５】
前記ストラップ４１０が、
前記ブーツＢの足甲部、又は足甲部と足指部を一度に覆うことができるように適正面積をもって備えられる軟質の接触部材４１２と、
該接触部材４１２の両側先端にそれぞれ備えられ、前記ベースプレート４０２の両側先端にそれぞれ固定できるように設けられる第１の固定部材４１４と、
前記接触部材４１２の両側後端に上端がそれぞれ挿入され、下端は前記ベースプレート４０２の両側後端にそれぞれ固定され、前記接触部材４１２の上方への離隔の際、離隔間隔を維持するように上端にガイド部４１６ａが一体に形成される第２の固定部材４１６と、
前記接触部材４１２と第１の固定部材及び第２の固定部材４１４、４１６との向かい合う対向面ごとに複数個及び単数個ずつ両端がそれぞれ固定された状態で備えられる被覆材４１８とからなることを特徴とする請求項１記載のスノーボード用ビンディング。
【請求項６】
前記締め手段１２０が、
前記ストラップ１１０の接触部材１１２の内部に下端が位置し、上端は外部に露出し、上端が開口した円筒形状で内部底面の中心部に縦軸１２２ａが形成され、該縦軸１２２ａの上端に締め付け部材１２７が螺旋締め付けされる下部胴体１２２と、
該下部胴体１２２の一端に横方向に備えられ、ワイヤＷを外力によって巻くとき、遊星歯車列により伝達荷重が分散され、ワイヤＷを解いた状態で外力を除去すると、復元力により強制的に巻かれるワイヤ出没手段１３０と、
該ワイヤ出没手段１３０の先端に備えられたヘリカルギア１３４ａと接触するように、底面の一端にギア１２５ｃが形成されて、１回転の際、ギア比によってワイヤ出没手段１３０のヘリカルギア１３４ａが複数回転し、前記下部胴体１２２の内径より小さい外径を有し、かつ、中心部に貫通した孔が形成され、下端が開口した円筒形状に形成され、上面の中心部に角突出部１２５ａが形成される下部結合部材１２５と、
前記下部胴体１２２と対向するように下端が開口した円筒形状で、内周面に三角形状の歯が放射状に備えられたラチェット１２１ａが形成され、上面に前記下部結合部材１２５の角突出部１２５ａに相応する角溝１２１ｂが形成される上部胴体１２１と、
前記下部結合部材１２５と前記上部胴体１２１との間に介在し、当該下部結合部材１２５の内径より小さく、当該上部胴体１２１の外径より大きい他、内径を有し、かつ、側壁に四角孔１２３ａが形成される上部結合部材１２３と、
該上部結合部材１２３の内周面に結合され、巻き取られたリング形状で上部胴体１２１のラチェット１２１ａに接し、かつ、この上部胴体１２１がいずれか一つの方向に回転できるようにラチェット形状に相応する出没突起１２４ａが形成され、該出没突起１２４ａが外力により陥没し、外力を除去すると、元の位置に復元できるように弾性力を提供する緩衝部材１２４と、
前記下部胴体１２２の縦軸１２２ａの上端に締め付けられる締め付け部材１２７と、
該締め付け部材１２７と前記下部結合部材１２５との間に介在して常時、弾性力によって上部胴体１２１と上部結合部材及び下部結合部材１２３、１２５とを加圧する弾性部材１２６とからなることを特徴とする請求項２〜５のいずれか１項に記載のスノーボード用ビンディング。
【請求項７】
前記締め手段１２０には、その対向側面に両端がそれぞれ固定される前記ワイヤＷが設けられ、該ワイヤＷが前記接触部材１１２の内部と連通したそれぞれの被覆材１１８及び固定部材１１４、又は前記接触部材４１２の内部と連通したそれぞれの被覆材４１８と第１の固定部材及び第２の固定部材４１４、４１６との内部に沿って互いに交差する形で備えられることを特徴とする請求項６記載のスノーボード用ビンディング。
【請求項８】
前記締め手段１２０が、前記ワイヤＷを強制的に巻き取り（ｗｉｎｄ）又は巻き出し（ｕｎｗｉｎｄ）させることを特徴とする請求項７記載のスノーボード用ビンディング。
【請求項９】
前記ワイヤ出没手段１３０が、
横方向のパイプ形状で、一端の内周面にリングギア１３１ａが形成され、両側に前面カバー及び後面カバー１３６ａ、１３６ｂがそれぞれ結合するハウジング１３１と、
該ハウジング１３１の内部に備えられて回転し、両端が中間端より拡張された円筒形状であり、一側面には等間隔に形成される３個の軸１３２ｄと、他側面には三脚台形状の延長部１３２ｂが形成され、該延長部１３２ｂのいずれか一つに溝１３２ｃが形成され、周面に対向するようワイヤＷの前端及び後端がそれぞれ固定される回転部材１３２と、
該回転部材１３２の軸１３２ｄごとにそれぞれ挿入される遊星ギア１３３と、
前記回転部材１３２の延長部１３２ｂの溝１３２ｃに固定できるように後端に係止部１３５ｂが形成され、先端に折り曲げ部１３５ａが形成され、前記ハウジング１３１に位置固定され、ワイヤＷの復帰の際、この回転部材１３２に復元力を提供するぜんまい１３５と、
前記遊星ギア１３３ごとに外接できるよう中心に備えられ、先端に下部結合部材１２５のギア１２５ｃに接するようヘリカルギア１３４ａが形成されるサンギア１３４とからなることを特徴とする請求項８記載のスノーボード用ビンディング。
【請求項１０】
前記上部胴体１２１と上部結合部材及び下部結合部材１２３、１２５とが相互結合して一律的に昇降し、上部結合部材１２３を除いた残りの上部胴体１２１と下部結合部材１２５とが一律的に回動し、上部結合部材１２３及び下部胴体１２２は共に停止状態で備えられることを特徴とする請求項９記載のスノーボード用ビンディング。
【請求項１１】
前記下部胴体１２２の縦軸１２２ａの上端周りに放射状の突起１２２ｂが複数形成され、前記突起１２２ｂごとに底面に接し、かつ、相応した位置である下部結合部材１２５の孔の内周面上端に放射状の定着突起１２５ｂが複数形成され、前記上部胴体１２１に沿って回転する下部結合部材１２５の定着突起１２５ｂが前記突起１２２ｂの上面に定着すると、前記下部結合部材１２５のギア１２５ｃがワイヤ出没手段１３０のヘリカルギア１３４ａから離脱することを特徴とする請求項１０記載のスノーボード用ビンディング。
【請求項１２】
前記下部胴体１２２の縦軸１２２ａの上端周りに螺旋突起１２２ｂ'が形成され、当該下部胴体１２２の螺旋突起１２２ｂ'に相応した下部結合部材１２５の孔の内周面上端に螺旋溝１２５ｂ'が形成され、前記上部胴体１２１に沿って回転する下部結合部材１２５の螺旋突起１２２ｂ'が前記螺旋溝１２５ｂ'から分離されると、前記下部結合部材１２５のギア１２５ｃがワイヤ出没手段１３０のヘリカルギア１３４ａから離脱することを特徴とする請求項１０記載のスノーボード用ビンディング。
【請求項１３】
前記ワイヤ出没手段１３０が、前記下部胴体１２２の一側又は両側に備えられ、両側に備えられると、一端のワイヤ出没手段が足甲部の先端ワイヤＷを個別的に出没させ、他端のワイヤ出没手段が足甲部の後尾ワイヤＷを個別的に出没させることを特徴とする請求項９記載のスノーボード用ビンディング。
【請求項１４】
前記締め手段１２０が、その内部に備えられた前記ワイヤＷを巻き取り、先に、このワイヤＷの対角方向に引力を発生させ、その後、対向する対角方向に引力を発生させることを特徴とする請求項１３記載のスノーボード用ビンディング。
【請求項１５】
前記結着手段１１６が、
板状でフック状の係止部材１１６ａ'が内側面に一体に形成されるか、固定されて設けられる装脱着部１１６ａと、
該装脱着部１１６ａの係止部材１１６ａ'が引っ掛かって締め付けられるように貫通孔が形成され、ベースプレート１０２に固定される板状の締め付け部１１６ｂ'とからなることを特徴とする請求項１４記載のスノーボード用ビンディング。
【請求項１６】
前記結着手段１４０が、
板状で全面に金属材のバックル部１４４が固定された装脱着部１４２と、
該装脱着部１４２のバックル部１４４が内部に挿入されて締め付けられ、当該装脱着部１４２の着脱の際、押圧部１４８を加圧して分離させることができるよう備えられ、ベースプレート１０２に固定される締め付け部１４６とからなることを特徴とする請求項１４記載のスノーボード用ビンディング。
【請求項１７】
前記結着手段１５０が、
板状で先端がフォーク形状を有し、両側面には外側方向に突出する係止部１５４が一体に備えられる装脱着部１５２と、
該装脱着部１５２の先端が挿入され、当該着脱部１５２の係止部１５４が引っ掛かるように、締め付け孔１５８が両側面にそれぞれ形成され、着脱の際、係止部１５４を内側方向に加圧し分離させてベースプレート１０２に固定される締め付け部１５６とからなることを特徴とする請求項１４記載のスノーボード用ビンディング。
【請求項１８】
前記被覆材１１８の内部には、当該被覆材１１８の収縮の際、変形を防止できるように弾性部材Ｓが挿入されることを特徴とする請求項６記載のスノーボード用ビンディング。
【請求項１９】
前記ストラップ１１０が、その両側のうち一側が前記ベースプレート１０２の一端に固定され、他側が前記ベースプレート１０２の他端で着脱されることを特徴とする請求項１記載のスノーボード用ビンディング。
【請求項２０】
前記ストラップ１１０が、その両側が前記ベースプレート１０２の一端と他端とで着脱されることを特徴とする請求項１記載のスノーボード用ビンディング。
【発明の詳細な説明】
【技術分野】
【０００１】
本願発明は、スノーボード用ビンディングに係わり、さらに詳しくはビンディングに一つのワイヤを巻き取って作動させることにより、スノーボードのデッキ（Ｄｅｃｋ）にブーツを固定できるようにしたスノーボード用ビンディングに関するものである。
【背景技術】
【０００２】
一般に、スノーボード（ｓｎｏｗ  ｂｏａｒｄ）は、スキーとともに、雪上で楽しむ冬のスポーツの一種であって、それぞれのデッキに両足を固定させた状態で滑る（ｒｉｄｉｎｇ）スキーとは異なり、両足を一つのデッキに固定した状態で重心を移動させて回転しながら滑るものである。このようなスノーボード１は、図１に示すように、大別して、長さ方向に延長する板状のデッキ２と、ブーツ（図示せず）と、当該ブーツをデッキ２に固定させるビンディング１０とに分けられる。
【０００３】
前記ビンディング１０は、ブーツをデッキ２に堅固に固定させる機能を果たし、アルパインビンディング（ａｌｐｉｎｅ  ｂｉｎｄｉｎｇ）、ソフトビンディング（ｓｏｆｔ  ｂｉｎｄｉｎｇ）、ステップインビンディング（ｓｔｅｐ−ｉｎ  ｂｉｎｄｉｎｇ）などに分けられ、通常、最も多く用いられているソフトビンディングは、フリースタイル用であって、ソフトブーツを固定させるときに用いられる。ここで、前記ビンディング１０は、ベースプレートと、当該ベースプレートの後端両側で回動可能に固定されるハイバックと、前記ベースプレートの一側に固定されて、ブーツの足指部及び足甲部を固定できるように備えられるストラップと、当該ストラップの終端に備えられるバックルと、当該バックルと水平線上のベースプレートの他側に備えられて、前記バックルと結合又は分離されるラチェットベルトとからなる。
【０００４】
このようなビンディング１０にブーツを固定させる過程は、スキー及びスノーボードのいずれも同じである。まず、ブーツのかかとをビンディング１０のハイバックに密着させた後、ストラップのバックルにラチェットベルトを挿入し、前記バックルの取っ手を握って上方に持ち上げる。そうすると、ブーツの足甲部は前記取っ手に形成されたラチェットが回転するとともに、ラチェットベルトを連続的に引っ張って、ストラップが、ブーツの足甲部に密着する。また、前記ブーツの足指部も同様に、前記バックルにラチェットベルトを挿入した後、バックルの取っ手を引っ張ると、ストラップがブーツの足指部に密着する。したがって、前記ブーツをビンディング１０に堅固に固定させるようになる。
【０００５】
しかしながら、従来のビンディング１０は、ブーツの足甲部及び足指部を個別に加圧して固定させるため、所要時間が増加する問題があった。また、前記ビンディング１０からブーツを分離する場合も、それぞれのラチェットベルトをバックルから離脱させなければならず、所要時間が増加する問題があった。なお、前記バックルからラチェットベルトを繰り返し的に結合又は分離する過程において、前記ラチェットベルトに集中的に荷重されて耐久性が低下する問題があった。
【発明の開示】
【発明が解決しようとする課題】
【０００６】
そこで、本願発明は、上術の従来の問題点を解決するために案出されたものであって、その目的は、前記ストラップに備えられた締め手段を用いてワイヤを巻き取り又は巻き出させることにより、ビンディングにブーツを容易に結合又は分離させるスノーボード用ビンディングを提供することにある。
【課題を解決するための手段】
【０００７】
上記の目的を達成するための本願発明は、スノーボード用ブーツをデッキに固定させるビンディングにおいて、前記ブーツのかかと部が密着するハイバック（ｈｉｇｈ  ｂａｃｋ）が後端で回動可能に結合されるベースプレートと、該ベースプレートの両側から少なくとも一地点ずつそれぞれ連結されてブーツを覆いながら加圧するよう備えられるストラップ（ｓｔｒａｐ）と、該ストラップの上面の適正位置に備えられて、前記ベースプレートとストラップとの引力（ｇｒａｖｉｔａｔｉｏｎ）を分散させてブーツが加圧され得るように設けられる締め手段とを備えてなることにより、ストラップが締め手段の作動によりブーツに加圧力を提供して、前記ビンディングが堅固にブーツを固定するので、好ましい。
【０００８】
また、本願発明における前記ストラップは、前記ブーツの足甲部を覆うことができるように適正面積をもって備えられる軟質の接触部材と、該接触部材の一側前後端に所定距離離隔した状態でそれぞれ備えられ、前記ベースプレートの一側前後端の複数地点にそれぞれ固定できるように設けられる板状の固定部材と、前記接触部材の他側前後端に所定距離離隔した状態で備えられ、前記ベースプレートの他側前後端の複数地点でそれぞれ結合又は分離できるように備えられる結着手段と、前記接触部材と、結着手段と、固定部材との向かい合う対向面ごとに複数個ずつ両端がそれぞれ固定された状態で備えられるチューブ状の被覆材とからなることにより、前記接触部材がブーツの足甲部を固定し、前記結着手段により容易に実施されるので、好ましい。
【０００９】
なお、本願発明における前記ストラップは、前記ブーツの足甲部及び足指部を一度に覆うことができるように適正面積をもって備えられる軟質の接触部材と、前記接触部材の一側前後端に所定距離離隔した状態でそれぞれ備えられ、前記ベースプレートの一側前後端の複数地点にそれぞれ固定できるように設けられる固定部材と、前記接触部材の他側前後端に所定距離離隔した状態で備えられ、前記ベースプレートの他側前後端の複数地点でそれぞれ結合又は分離できるように備えられる結着手段と、前記接触部材と、結着手段と、固定部材との向かい合う対向面ごとに複数個ずつ両端がそれぞれ固定された状態で備えられる被覆材とからなることにより、前記接触部材がブーツの足甲部及び足指部を固定し、前記結着手段により容易に実施されるので、好ましい。
【００１０】
更に、本願発明における前記ストラップは、前記ブーツの足甲部及び足指部を一度に覆うことができるように適正面積をもって備えられる軟質の接触部材と、該接触部材の一側の適正間隔ごとに所定距離離隔した状態でそれぞれ備えられ、前記ベースプレートの一側の複数地点にそれぞれ固定できるように設けられる固定部材と、前記接触部材の他側の適正間隔ごとに所定距離離隔した状態で備えられ、前記ベースプレートの一側の複数地点でそれぞれ結合又は分離できるように備えられる結着手段と、前記接触部材と、結着手段と、固定部材との向かい合う対向面ごとに複数個ずつ両端がそれぞれ固定された状態で備えられる被覆材とからなることにより、前記接触部材がブーツの足甲部及び足首部を固定し、前記結着手段により容易に実施されるので、好ましい。
【００１１】
更に、本願発明における前記ストラップは、その両側のうち一側が前記ベースプレートの一端に固定され、他側がベースプレートの他端で着脱されるか、その両側が前記ベースプレートの一端及び他端で着脱されることにより、前記ストラップがベースプレートに容易に結合又は分離されるので、好ましい。
【発明の効果】
【００１２】
本願発明のスノーボード用ビンディングは、ベースプレートにストラップの一側を固定させ、ストラップの他側を結着手段によって固定させるか、前記ストラップの両側を結着手段により前記ベースプレートに固定させた後、前記締め手段によりワイヤを巻き取り又は巻き出させる過程が容易なため、ブーツの装脱着がし易く、装脱着時間を減少させる効果がある。更に、ストラップがブーツの足甲部、足甲部と足指部、及び足甲部と足首部を加圧してブーツをベースプレートに固定させるので、固定力が上昇するという効果がある。
【発明を実施するための最良の形態】
【００１３】
以下、図面を参照して、本願発明のスノーボード用ビンディングについて実施形態を挙げて説明すれば、次のとおりである。
【００１４】
（第１の実施形態）
本願発明の好ましい実施形態に係るスノーボード用ビンディングは、図２〜図５に示すように、ベースプレート１０２と、ストラップ１１０と、締め手段１２０とからなる。前記ベースプレート１０２は、ブーツＢを定着させる機能を果たし、後端の両側にブーツＢの後面を支えるハイバック１０４が適正角度だけ回動できるように備えられる。前記ストラップ１１０は、前記ブーツＢの足甲部に位置し、当該足甲部に接した状態で加圧する機能を果たし、接触部材１１２と、固定部材１１４と、結着手段１１６と、被覆材１１８と、ワイヤＷとからなる。
【００１５】
また、前記ストラップ１１０は、締め手段１２０によりワイヤＷを強制的に巻き取り、接触部材１１２と固定部材１１４との間隔、及び接触部材１１２と結着手段１１６との間隔を狭めることができる。そうすると、前記ベースプレート１０２と接触部材１１２との空間が狭くなり、当該空間に位置したブーツＢが堅固に固定される。前記接触部材１１２は、軟質の織物又は合成樹脂材が用いられ、防水性が求められる。また、前記ブーツＢの足甲部を覆うことができるように適正面積をもって備えられ、前記固定部材１１４及び結着手段１１６が備えられる部分は、外側方向に更に突出するように裁断される。
【００１６】
前記固定部材１１４は、前記接触部材１１２から適正間隔ほど離隔した位置にそれぞれ備えられる。そして、一端が半円状に形成されて、ベースプレート１０２にボルト締めで固定され得る。前記結着手段１１６は、一側が固定部材１１４で固定された接触部材１１２の他側をベースプレート１０２に装脱着するために、前記ベースプレート１０２と接触部材１１２との間に備えられ、装脱着部１１６ａ及び締め付け部１１６ｂで構成される。前記結着手段１１６は、固定部材１１４と対向した位置に設けられ、前記接触部材１１２と適正間隔ほど離隔するように備えられる。
【００１７】
一方、本実施形態では、前記結着手段１１６がストラップ１１０の一側に設けられ、前記固定部材１１４がストラップ１１０の他側に設けられた状態を例に挙げて説明したが、前記ストラップ１１０は、一側と他側の全てに結着手段１１６が備えられて、ベースプレート１０２から完全に分離された状態で前記ベースプレート１０２に着脱することもできる。前記装脱着部１１６ａは、一端が半円状に形成され、内側面にフック（ｈｏｏｋ）状を有する係止部材１１６ａ'が一体形成されるか、ボルト及びナットにより固定され得る。
【００１８】
前記締め付け部１１６ｂは、一端が半円状に形成され、前記装脱着部１１６ａの係止部材１１６ａ’が引っ掛かって固定されるように、四角形状の貫通孔が形成される。前記締め付け部１１６ｂは、ベースプレート１０２にボルト締めで固定され得る。ここで、前記固定部材１１４及び装脱着部１１６ａは、図６及び図７に示すように、接触部材１１２から所定距離離隔し、その間に二つの被覆材１１８がそれぞれ介在する。すなわち、前記複数の被覆材１１８は、固定部材１１４と接触部材１１２との間、前記装脱着部１１６ａと接触部材１１２との間に、両端が固定された状態で介在する。
【００１９】
また、前記被覆材１１８の内部には、当該被覆材１１８の長さほど延長する圧縮ばねである弾性部材Ｓが挿入される。そうすると、締め手段１２０によってワイヤＷを巻き取る過程で固定部材１１４、装脱着部１１６ａ、及び接触部材１１２の間隔が狭くなり、被覆材１１８が収縮する。当該被覆材１１８が収縮して変形するとき、当該被覆材１１８は、弾性部材Ｓが外形を維持させるので、外形は変形せず、長さだけが減り、外観上、美麗にみえる。なお、前記固定部材１１４及び装脱着部１１６ａのそれぞれの周面内部には、「Ｕ」字状の金属材の案内管Ｇが成形される。そして、案内管ＧにワイヤＷが挿入移動しながらワイヤＷとの摩擦力を減少させる。
【００２０】
前記締め手段１２０は、図８及び図９に示すように、前記接触部材１１２の中心地点に固定される。前記締め手段１２０は、下端が前記ストラップ１１０の内部に位置し、上端が前記ストラップ１１０の外部に露出し、前記ストラップ１１０の内部にワイヤＷの両端が対向した状態で固定される。そうすると、前記締め手段１２０は、巻き取られた前記ワイヤＷを強制的に巻き出し、巻き出されたワイヤＷを強制的に巻き取る機能を果たし、上部胴体及び下部胴体１２１、１２２と、上部結合部材１２３と、緩衝部材１２４と、下部結合部材１２５と、弾性部材１２６と、締め付け部材１２７と、ワイヤ出没手段１３０とで構成される。
【００２１】
前記上部胴体１２１は、取っ手であって、その直径が大きいものが手で把持するときに容易であり、また、あまり直径が大きいと、ボーディングの際に不便なこともあるため、適正な直径で形成する。更に、前記上部胴体１２１は、その周面に複数個の突起が放射状に突出形成されて、手で把持するときの滑りを防止する。そして、前記上部胴体１２１は、下端が開口した円筒状であり、内周面の下端に三角形状の歯が放射状に備えられたラチェット１２１ａが形成され、上面の中心部に、後述の前記下部結合部材１２５の角突出部１２５ａに相応する角溝１２１ｂが形成される。すなわち、前記角溝１２１ｂが前記下部結合部材１２５の角突出部１２５ａに挿入されて、前記上部胴体１２１と下部結合部材１２５とが連動する。ここで、前記角溝１２１ｂと角突出部１２５ａとは、八角形に形成されているが、これに限定されるものではなく、様々な変更実施が可能である。
【００２２】
前記下部胴体１２２は、前記上部胴体１２１と対向し、上端が開口した円筒状で、内部底面の中心部に「∩」字状（逆Ｕ字状）に突出し、その突出した上端に直立する縦軸１２２ａが形成され、前記縦軸１２２ａの上端の外周面に螺旋突起が形成される。前記縦軸１２２ａの上端周面には、放射状に複数個の突起１２２ｂが形成される。前記突起１２２ｂの個数は限定されず、様々な変更実施が可能である。ただし、隣接した突起１２２ｂの間隔が定着突起１２５ｂより小さくなければならない。前記上部結合部材１２３は、後述の前記下部結合部材１２５と前記上部胴体１２１との間に介在し、下部結合部材１２５の外径より大きな内径を有し、上部胴体１２１の内径より大きな外径を有し、かつ、一側壁に長方形状の四角孔１２３ａが形成される。そして、前記上部結合部材１２３の上面の中心部には、前記下部結合部材１２５の角突出部１２５ａに挿入できる孔が形成される。
【００２３】
前記緩衝部材１２４は、前記上部結合部材１２３の内周面に結合され、巻き取られたリング形状に形成され、中心部の外周面に前記上部胴体１２１のラチェット１２１ａの形状に相応する直三角形状の出没突起１２４ａが形成される。前記出没突起１２４ａは、前記上部結合部材１２３の四角孔１２３ａを通過できるように相応する大きさに形成される。すなわち、前記出没突起１２４ａは、上部結合部材１２３の四角孔１２３ａを介して前記上部胴体１２１のラチェット１２１ａまで突出する。前記出没部材１２４ａが上部胴体１２１のラチェット１２１ａに接すると、上部胴体１２１がいずれか一つの方向、すなわち、反時計方向には回転せず、時計方向に回転させるようにする。前記出没突起１２４ａは、ラチェット１２１ａの歯と歯との間に位置すると後方に陥没し、前記ラチェット１２１ａの歯に位置すると元の位置に復元できるように弾性力が与えられる。
【００２４】
前記下部結合部材１２５は、後述する前記ワイヤ出没手段１３０の先端に備えられたサンギア１３４のヘリカルギア１３４ａと接触して連動できるように、底面の一端にギア１２５ｃが形成される。前記下部結合部材１２５は、１回転時のギア比によってワイヤ出没手段１３０のヘリカルギア１３４ａが複数回転する。すなわち、前記下部結合部材１２５のギア１２５ｃの数が５０個であり、前記サンギア１３４のヘリカルギア１３４ａのギア数が５個であれば、下部結合部材１２５が１回転する場合、前記ヘリカルギア１３４ａが１０回転するのである。
【００２５】
また、前記下部結合部材１２５は、図８及び図１０に示すように、下端が開口した円筒形状で、上面の中心部に角突出部１２５ａが形成され、前記下部胴体１２２の内径より小さな外径を有し、かつ、厚さ方向に中心部に貫通する孔が形成される。更に、前記下部結合部材１２５の孔の上端には、前記縦軸１２２ａの突起１２２ｂと同一垂直線上に位置したとき、部分的に重なる定着突起１２５ｂが放射状に形成される。また、前記定着突起１２５ｂの個数は限定されず、様々な変更実施が可能であって、突起１２２ｂと個数を同一にする。ただし、隣接した定着突起１２５ｂの間隔が突起１２２ｂより狭くなければならない。このように、前記下部結合部材１２５の定着突起１２５ｂと、下部胴体１２２の縦軸１２２ａの突起１２２ｂとは、最初、定着突起１２５ｂの上面に突起１２２ｂの底面が接した状態で備えられ、後述の締め付け部材１２７と上部胴体１２１との間に弾性部材１２６が介在する。前記上部胴体１２１、と、上部結合部材及び下部結合部材１２３、１２５とが互いに結合された状態で下部胴体１２２に向かって加圧すると、下部結合部材１２５のギア１２５ｃが、ワイヤ出没手段１３０のヘリカルギア１３４ａに噛み合った状態になる。
【００２６】
ここで、前記上部胴体１２１を回転させると、下部結合部材１２５の定着突起１２５ｂが回転し、前記定着突起１２５ｂが隣接した前記突起１２２ｂの隙間に位置する。また、前記上部胴体１２１を持ち上げた状態で更に回転させると、縦軸１２２ａの突起１２２ｂの上面に定着突起１２５ｂが同一垂直線上に定着し、上部胴体１２１と上部結合部材及び下部結合部材１２３、１２５とが上昇して、前記ワイヤ出没手段１３０のヘリカルギア１３４ａから下部結合部材１２５のギア１２５ｃが離脱するようになる。そうすると、前記ワイヤ出没手段１３０からワイヤＷを自由に出没させることができる。すなわち、前記定着突起１２５ｂと前記突起１２２ｂとは、前記下部結合部材１２５のギア１２５ｃをワイヤ出没手段１３０のヘリカルギア１３４ａから離脱させた後、前記上部胴体１２１と上部結合部材及び下部結合部材１２３、１２５との位置を離隔した状態で固定させる機能を果たす。
【００２７】
ここで、前記上部胴体１２１と上部結合部材及び下部結合部材１２３、１２５とは、互いに結合されて一律的に昇降し、上部結合部材１２３を除いた残りの上部胴体１２１と下部結合部材１２５とは一律的に回動し、上部結合部材１２３及び下部胴体１２２は共に停止状態で備えられる。このとき、図示していないが、前記上部結合部材１２３を下部胴体１２２に結合させることができるよう、この上部結合部材１２３の底面と当接する下部胴体１２２との接触面に放射状の凹凸をそれぞれ形成させる。そうすると、前記凹凸により前記下部結合部材１２５のギア１２５ｃがワイヤ出没手段１３０のヘリカルギア１３４ａと噛み合った状態で上部胴体１２１と下部結合部材１２５とが回動しても前記上部結合部材１２３は回動しない。
【００２８】
また、図１１に示すように、前記下部胴体１２２の縦軸１２２ａの上端周面に螺旋突起１２２ｂ'が形成され、当該螺旋突起１２２ｂ'に相応する形状の螺旋溝１２５ｂ'が、下部結合部材１２５の孔の上端内周面に形成される。このとき、弾性部材１２６は、前記締め付け部材１２７と上部胴体１２１との間に介在し、前記上部胴体１２１と上部結合部材及び下部結合部材 １２３、１２５との方向に加圧し、前記上部胴体１２１と上部結合部材及び下部結合部材 １２３、１２５とを回転させると、下部胴体１２２の縦軸１２２ａに形成された螺旋突起１２２ｂ'と下部結合部材１２５の螺旋溝１２５ｂ'とが分離されて、弾性力によって螺旋溝１２５ｂ'の上端を加圧する。つまり、結合された前記上部胴体１２１と上部結合部材及び下部結合部材 １２３、１２５とのうち、下部結合部材１２５のギア１２５ｃが、ワイヤ出没手段１３０のヘリカルギア１３４ａから分離されて、前記ワイヤ出没手段１３０からワイヤＷを自由に出没させることができる。
【００２９】
前記弾性部材１２６は、コイルばねで、前記上部胴体１２１と上部結合部材及び下部結合部材 １２３、１２５とを下部胴体１２２の方向に加圧させる機能を果たす。前記締め付け部材１２７は、前記下部胴体１２２の縦軸１２２ａの上端外周面に形成された螺旋突起と締め付けられるように下端内周面に螺旋溝が形成され、上面は膨らんだ半円状に形成される。前記締め付け部材１２７は、上部胴体１２１と上部結合部材及び下部結合部材１２３、１２５とが下部胴体１２２に離脱しないように固定させる機能を果たす。
【００３０】
前記ワイヤ出没手段１３０は、図８及び図９に示すように、前記下部胴体１２２の一端に横方向に備えられて、ワイヤＷを外力により巻くとき、遊星歯車列（ｐｌａｎｅｔａｒｙ  ｇｅａｒ  ｔｒａｉｎｓ）によって伝達荷重を分散させて少ない力で上部胴体１２１を回転させることができる。前記ワイヤ出没手段１３０は、前記ワイヤＷを解いた状態で外力を除去すると、復元力によって強制的にワイヤＷを巻く機能を果たす。前記ワイヤ出没手段１３０は、ハウジング１３１と、回転部材１３２と、遊星ギア１３３と、サンギア１３４と、ぜんまい１３５と、横軸１３８とで構成される。前記ハウジング１３１は、両端が開口した円筒状で、対向する外面にワイヤＷが出没する孔が形成され、内周面の一端にリングギア１３１ａが形成され、両側面に前面カバー及び後面カバー１３６ａ、１３６ｂがそれぞれ小さいねじによって固定される。
【００３１】
前記回転部材１３２は、前記ハウジング１３１の内部に備えられて、ワイヤＷの出没時に回転する。前記回転部材１３２は、両端が中間端より直径が拡大され、段差のある円筒状で、中間端の外周面の対向する位置にワイヤ挿入孔１３２ａがそれぞれ形成され、一側面に三脚台状の延長部１３２ｂがそれぞれ形成され、いずれか一つの延長部１３２ｂに溝１３２ｃが形成され、他側面に３個が放射状に突出する軸１３２ｄが形成される。ここで、前記ワイヤ挿入孔１３２ａは、内部にワイヤＷの両端がそれぞれ挿入され、直交した外側で、締めボルト１３２ｅによって前記ワイヤＷを位置固定させる。なお、前記延長部１３２ｂは、前記回転部材１３２の一側面の一端に沿ってそれぞれ放射状に形成され、いずれか一つの延長部１３２ｂの溝１３２ｃに、後述のぜんまい１３５の後端が固定される。
【００３２】
一方、前記回転部材１３２は、出力軸により前記ハウジング１３１のリングギア１３１ａが固定され、後述の遊星ギア１３３及びサンギア１３４が回転しながら大きなトルクを発生するため、少ない力でも容易に回転させることができる。ここで、遊星歯車列によるギア比は、既に公知となった事項であるため、詳細な説明を省略する。前記遊星ギア１３３は、前記回転部材１３２の軸１３２ｄにそれぞれ挿入されて、ハウジング１３１のリングギア１３１ａに接した状態で自転及び空転を同時に行い、本実施形態では３個が備えられる。そして、前記遊星ギア１３３は、前記回転部材１３２の軸１３２ｄからの離脱を防止するために、前記軸１３２ｄの終端に固定部材１３３ａで仕上げる。
【００３３】
前記サンギア１３４は、前記遊星ギア１３３と一律的に接した状態で回転する入力軸である。前記サンギア１３４は、それぞれの遊星ギア１３３の中心部に備えられた状態で自転し、先端に、下部結合部材１２５のギア１２５ｃが接するよう後端の直径より拡張され、かつ、外周面にヘリカルギア１３４ａが形成される。つまり、前記下部結合部材１２５が回転すると、当該下部結合部材１２５のギア１２５ｃに噛み合ったヘリカルギア１３４ａによってサンギア１３４が回転し、遊星ギア１３３及び回転部材１３２が回転し、前記回転部材１３２に固定されたワイヤＷが巻かれるのである。
【００３４】
すなわち、前記ぜんまい１３５は、前記ぜんまい固定部材１３７の溝部１３７ａに結合できるように、先端に折り曲げ部１３５ａが形成され、前記延長部１３２ｂの溝１３２ｃに固定できるように、後端が折り曲げられた係止部１３５ｂが形成される。そして、前記上部胴体１２１と連動する下部結合部材１２５を回転させると、当該下部結合部材１２５のギア１２５ｃと噛み合ったサンギア１３４と遊星ギア１３３とを経て回転部材１３２が回転する。このとき、ワイヤＷの巻き出しの際、外力を除去すると、前記ぜんまい１３５の復元力によって前記ワイヤＷが強制的に回転部材１３２に巻かれる。前記横軸１３８は、前記サンギア１３４から回転部材１３２を経てぜんまい１３５の外部まで連通する中心軸方向に位置する。そうすると、前記横軸１３８の両端が、下部胴体１２２の内部底の両端に備えられる定着部材１２２ｃの溝に定着した後、上部結合部材１２２ｄに位置固定させる。
【００３５】
前記ワイヤＷは、耐久性を要する鉄線が望ましく、締め手段１２０の左側上端に終端が固定される。前記ワイヤＷは、ストラップ１１０の左側上端に備えられる二つの被覆材１１８及び装脱着部１１６ａの内部に沿って連結され、当該装脱着部１１６ａと水平線上に対向する二つの被覆材１１８及び右側固定部材１１４の内部に沿って連結される。次いで、前記ワイヤＷは、前記右側の固定部材１１４から対角方向の二つの被覆材１１８及び左側下端の装脱着部１１６ａの内部に沿って２つの被覆材１１８及び右側下端の固定部材１１４の内部に連結され、締め手段１２０の右側下端に終端が固定されて中間部分で交差する形状で配置される。
【００３６】
ここで、前記ワイヤＷを締め手段１２０の作動によって巻き取ると、このワイヤＷの終端がそれぞれ固定された地点で対角位置のそれぞれの左側上端に備えられた装脱着部１１６ａと、右側下端に備えられた固定部材１１４とが、先に内側方向に同時に移動し、その後、左側下端に備えられる装脱着部１１６ａと、右側上端に備えられた固定部材１１４とが、内側方向に同時に移動する。また、前記ワイヤＷの位置を制限するために、接触部材１１２の上端中心部及び下端中心部には、水平方向の管、上下端を裁縫する織物、又は合成樹脂材を備える。
【００３７】
本実施形態におけるスノーボード用ビンディングに、ブーツを固定させる過程は、図２〜図１０に示すように、まず、前記接触部材１１２の両端がベースプレート１０２に固定された状態で、前記接触部材１１２の一端に備えられた装脱着部１１６ａの係止部材１１６ａ'を締め付け部１１６ｂからそれぞれ分離した後、ブーツＢをベースプレート１０２及びハイバック１０４に密着するよう定着させる。別の方法としては、前記ワイヤ出没手段１３０によって、ストラップ１１０の接触部材１１２がベースプレート１０２に近接した状態で位置するため、前記接触部材１１２を引っ張ってワイヤ出没手段１３０の回転部材１３２に巻き取られたワイヤＷを伸長させる。このとき、前記ワイヤＷが巻き出された回転部材１３２は、ぜんまい１３５の復元力が加わった状態であるため、接触部材１１２を把持した状態で足に着用したブーツＢをベースプレート１０２及びハイバック１０４に密着するよう定着させる。
【００３８】
次に、一側が固定された接触部材１１２の他側の前後に備えられる装脱着部１１６ａの係止部材１１６ａ'を、締め付け部１１６ｂの四角孔に引っ掛かり得るように結合させる。その後、把持していた接触部材１１２を放すと、ぜんまい１３５の復元力によって前記回転部材１３２が位置を復元し、回転部材１３２にワイヤＷが巻き取られ、かつ、前記ぜんまい１３５の復元力だけ前記接触部材１１２がブーツＢの足甲部に接触する。また、前記接触部材１１２がブーツＢの足甲に定着した状態で前記締め手段１２０の上部胴体１２１を時計方向に回転させると、前記下部結合部材１２５のギア１２５ｃが接しているワイヤ出没手段１３０のヘリカルギア１３４ａを回転させ、サンギア１３４も連動して回転する。ここで、前記サンギア１３４が回転するとともに、当該サンギア１３４と外接する遊星ギア１３３を回転させ、前記遊星ギア１３３がハウジング１３１のリングギア１３１ａに沿って自転及び空転しながら回転部材１３２を回転させる。
【００３９】
更に、サンギア１３４を回転させて連動的に遊星ギア１３３及び回転部材１３２を回転させる過程で、遊星歯車列によるギア比によって回転部材１３２を減速させるため、サンギア１３４を少ない力でも回すことができる。このとき、前記回転部材１３２の周面に備えられたワイヤＷが回転部材１３２に巻かれる過程で、前記緩衝部材１２４の出没突起１２４ａが、上部胴体１２１のラチェット１２１ａに三角形状の歯状に接し、上部胴体１２１が時計方向に回転し、かつ、反時計方向に回転しないようにする。このように、前記上部胴体１２１を回転させると、ワイヤ出没手段１３０の回転部材１３２にワイヤＷが巻かれ始める。
【００４０】
また、前記ワイヤＷが張ったまま回転部材１３２に巻き取られ始めると、右側下端の固定部材１１４と左側上端の装脱着部１１６ａとに先に引力（ｇｒａｖｉｔａｔｉｏｎ）が発生し、右側上端の固定部材１１４と左側下端の装脱着部１１６ａとに引力を発生させるようになる。すなわち、前記ワイヤＷが締め手段１２０により巻き取られ始めると、右側下端の固定部材１１４と、左側上端の装脱着部１１６ａと、接触部材１１２との間隔を同時に狭めるようにした後、右側上端の固定部材１１４と、左側下端の装脱着部１１６ａと、接触部材１１２との間隔が同時に狭まり、結局、ベースプレート１０２とストラップ１１０との空間が狭くなるにつれて、空間に位置するブーツＢを加圧する。
【００４１】
ここで、前記固定部材１１４及び着脱部材１１６ａが接触部材１１２に移動する場合、当該固定部材１１４と、着脱部材１１６ａと、接触部材１１２との間に介在した被覆材１１８が収縮し、当該被覆材１１８の内部に備えられた弾性部材Ｓによって前記被覆材１１８の形状変形を減少させる。一方、前記下部結合部材１２５の孔の内周面の上端に放射状に備えられた定着突起１２５ｂの上面と、前記下部胴体１２２の縦軸１２２ａに放射状に備えられた突起１２２ｂの底面とが垂直一直線上に位置するので、下部結合部材１２５のギア１２５ｃが、ワイヤ出没手段１３０のヘリカルギア１３４ａに接し、緩衝部材１２４の出没突起１２４ａが上部胴体１２１のラチェット１２１ａに位置して前記上部胴体１２１が反時計方向に回転せず、時計方向にのみ動力を伝達させるようにする。
【００４２】
逆に、前記ブーツＢをビンディング１００から分離しようとする場合、前記上部胴体１２１を少し回転させて、前記定着突起１２５ｂが前記突起１２２ｂ間の隙間に移動すると、上部胴体１２１が上昇するようになり、下部結合部材１２５のギア１２５ｃが、ワイヤ出没手段１３０のヘリカルギア１３４ａから離脱し始める。このとき、前記上部胴体１２１を把持した状態で上に引っ張った後、上部胴体１２１を更に回転させると、前記下部結合部材１２５の定着突起１２５ｂが前記下部胴体１２２の突起１２２ｂの上面に定着し、前記定着突起１２５ｂと突起１２２ｂとが垂直一直線上に位置する。そうすると、締め付け部材１２７と上部胴体１２１との間に介在した弾性部材１２６は、弾性力によって上部胴体１２１と上部結合部材及び下部結合部材１２３、１２５とを下方に加圧している状態であるため、定着突起１２５ｂが突起１２２ｂから離脱することを防止する。
【００４３】
つまり、最初、上下に備えられる突起１２２ｂと定着突起１２５ｂとの位置変更は、前記上部胴体１２１に結合された下部結合部材１２５のギア１２５ｃをワイヤ出没手段１３０のヘリカルギア１３４ａから離脱させた後、前記ワイヤ出没手段１３０から出没するワイヤＷによってストラップ１１０の接触部材１１２をベースプレート１０２から離隔させるため、ブーツＢの着脱が容易になる。このとき、前記突起１２２ｂと定着突起１２５ｂとの高さの合計だけ、下部結合部材１２５のギア１２５ｃが、ワイヤ出没手段１３０のヘリカルギア１３４ａから離隔する。
【００４４】
更に、前記突起１２２ｂは、定着した前記定着突起１２５ｂから離脱することを防止するために、当該突起１２２ｂの形状を「Ｌ」字状に折り曲げるか、「└┘」形状（凹字状）に形成することができる。それから、前記接触部材１１２を手で把持した後に引っ張ると、ワイヤＷが、ワイヤ出没手段１３０を介して伸張するので、ベースプレート１０２と前記接触部材１１２との空間を広めた後、ブーツＢを分離したり、ブーツＢを力によってビンディング１００から分離することができる。更に、前記締め手段１２０は、その内部に対向するよう一対のワイヤ出没手段１３０が備えられて、一側のワイヤ出没手段１３０で足甲の先端部分のワイヤＷを巻き取り又は巻き出させ、他側のワイヤ出没手段１３０で足甲の後尾部分のワイヤＷを巻き取り又は巻き出させる。したがって、一対で備えられた前後ワイヤＷを一律的に巻き取り又は巻き出すことによって締め力を調節することができる。（図１２参照）
【００４５】
一方、図１３及び図１４に示すように、結着手段は、通常の安全ベルトに適用される形式と、リュックサックなどのかばんに主に用いられる形式を例に挙げ、この他にも締め付けることができるよう、様々に適用することができる。まず、安全ベルトに適用される形式の結着手段１４０は、中央部に貫通孔が形成される金属材のバックル部１４４が一側に備えられ、他側には半円状で前記バックル部１４４と一体として成形される装脱着部１４２と、当該装脱着部１４２のバックル部１４４が内部に挿入されて、結合又は分離させる締め付け口１４６とからなる。前記締め付け口１４６は、前面に弾性部材の弾性力により出没する押圧部１４８と、当該押圧部１４８の下端に形成された挿入溝１４８ａに挿入されるバックル部１４４の貫通孔を結束させることができる結束部（図示せず）が設けられ、後端には、ベースプレート１０２にボルト締めで固定できるように貫通孔が形成される。すなわち、前記押圧部１４８の挿入溝１４８ａに装脱着部１４２のバックル部１４４が挿入されると、当該バックル部１４４の貫通孔に結束部が下降して結束させ、前記押圧部１４８を後方に加圧すると、前記結束部が上昇してバックル部１４４の貫通孔から離脱して装脱着部１４２が分離される構造である。
【００４６】
次に、主に、リュックサックなどのかばんに用いられる形式の結着手段１５０は、先端がフォーク形状を有する板状で、その先端の外側面に、外側方向に三角柱形状の係止部１５４が突出成形された装脱着部１５２と、当該装脱着部１５２の先端が挿入され得るように、長さ方向の挿入溝１５６ａが前面に形成され、両側面には、前記着脱部１５２の係止部１５４が位置され得るように、その係止部１５４に相応する締め付け孔１５８が形成される締め付け口１５６とからなる。前記装脱着部１５２は、係止部１５４が備えられる部分が柔軟な必要があり、かつ、剛性が求められる。前記装脱着部１５２を締め付け口１５６に締め付ける場合、まず、前記装脱着部１５２の後端を把持した状態で、前記締め付け口１５６の挿入溝１５６ａにフォーク形状の装脱着部１５２の先端を挿入させて、前記装脱着部１５２の係止部１５４が挿入溝１５６ａに沿って移動し、締め付け口１５６の締め付け孔１５８に到達するとともに、係止部１５４が外側方向に復帰しながら、前記締め付け孔１５８に係止部１５４が結合される。逆に、前記装脱着部１５２を締め付け口１５６から分離させる場合、前記装脱着部１５２の係止部１５４を内側方向に加圧した後、後進させて行う。
【００４７】
（第２の実施形態）
本願発明の好ましい実施形態に係るスノーボード用ビンディングは、図１５〜図１７に示すように、ベースプレート２０２と、ストラップ２１０と、締め手段２２０とからなり、ベースプレート２０２及び締め手段２２０は、前述の実施形態と同じ構造と機能をするので、詳細な説明を省略する。
【００４８】
前記ストラップ２１０は、前記ブーツＢの足甲部から足指部まで位置し、当該足甲部と足指部とに同時に接した状態で加圧することによって、ブーツＢを更に堅固に固定させる機能を果たし、接触部材２１２と、固定部材２１４と、結着手段２１６と、被覆材２１８と、ワイヤＷとからなる。ここで、前記固定部材２１４と、結着手段２１６と、被覆材２１８と、ワイヤＷとは、前述の実施形態と同じ構造と機能をするので、詳細な説明を省略する。前記接触部材２１２は、軟質の織物又は合成樹脂材が用いられ、防水性が求められる。また、前記ブーツＢの足甲部と足指部とを同時に覆うことができるように適正面積をもって備えられる。
【００４９】
一方、本実施形態でも前記結着手段２１６がストラップ２１０の一側に設けられ、前記固定部材２１４がストラップ２１０の他側に設けられた状態を例に挙げて説明したが、前記ストラップ２１０は、一側及び他側共に結着手段２１６を備えてベースプレート２０２から完全に分離された状態で前記ベースプレート２０２に着脱され得る。ここで、説明しない符号「２０４」は、ハイバックであり、「２１６ａ」は、装脱着部であり、「２１６ｂ」は、締め付け部であり、「２１６ａ'」は、係止部材であり、「２３０」は、ワイヤ出没手段である。更に、図示していないが、前記締め手段に複数個のワイヤ出没手段を備え、足甲の先端部分と足甲の後端部分とに個別的なワイヤを備え、それぞれのワイヤを一律的に巻き取り又は巻き出させてブーツの締め力を調節することができる。
【００５０】
本実施形態におけるスノーボード用ビンディングにブーツを固定させる過程は、前述の実施形態と同一であり、ただし、ストラップ２００がブーツＢの足甲だけでなく、足指部まで覆い、かつ、ブーツＢを加圧して、更に堅固にブーツＢを固定させることができるという利点がある。
【００５１】
（第３の実施形態）
本願発明の好ましい実施形態に係るスノーボード用ビンディングは、図１８〜図２０に示すように、ベースプレート３０２と、ストラップ３１０と、締め手段３２０とからなり、ベースプレート３０２及び締め手段３２０は、前述の実施形態と同じ構造と機能をするので、詳細な説明を省略する。前記ストラップ３１０は、前記ブーツＢの足甲部から足首部まで位置し、足甲部と足首部とに同時に接した状態で加圧することによって、ブーツＢを更に堅固に固定させる機能を果たし、接触部材３１２と、固定部材３１４と、結着手段３１６と、被覆材３１８と、ワイヤＷとからなる。ここで、前記固定部材３１４と、結着手段３１６と、被覆材３１８と、ワイヤＷとは、前述の実施形態と同じ構造と機能をするので、詳細な説明を省略する。
【００５２】
ただし、前記固定部材３１４及び結着手段３１６は、３個ずつ備えられ、足甲の位置である先端と中間端とに備えられる固定部材３１４及び結着手段３１６は、ベースプレート３０２の前後に固定され、足首の位置である後端に備えられる固定部材３１４及び結着手段３１６は、ハイバック３０４に固定される。また、前記接触部材３１２は、軟質の織物又は合成樹脂材が用いられ、防水性が求められる。また、ブーツＢの足甲部から足首部まで覆うことができるように適正面積をもって備えられる。
【００５３】
そして、前記ワイヤＷは、耐久性を要する鉄線が望ましく、締め手段３２０の右側上端に終端が固定される。前記ワイヤＷは、ストラップ３１０の接触部材３１２の右側上端に備えられる二つの被覆材３１８及び固定部材３１４の内部を経て、当該固定部材３１４と水平線上に対向する二つの被覆材３１８及び左側上端の装脱着部材３１６ａと、右側の中間端に備えられる二つの被覆材３１８及び右側の中間端の固定部材３１４と、左側下端に備えられる二つの被覆材３１８及び左側下端の装脱着部材３１６ａと、前記左側下端の装脱着部材３１６ａと対向する右側下端に備えられる二つの被覆材３１８及び右側下端の固定部材３１４と、左側の中間端に備えられる二つの被覆材３１８及び左側の中間端の装脱着部材３１６ａの内部を順次経た後、締め手段３２０の左側下端にワイヤＷの終端が固定されて中間部分の上下で２回交差する形状で配置される。
【００５４】
一方、本実施形態でも前記結着手段３１６がストラップ３１０の一側に設けられ、前記固定部材３１４がストラップ３１０の他側に設けられた状態を例に挙げて説明したが、前記ストラップ３１０は、一側及び他側共に結着手段３１６を備えて、ベースプレート３０２から完全に分離された状態で前記ベースプレート３０２に着脱され得る。ここで、説明しない符号「３１６ａ」は、装脱着部であり、「３１６ｂ」は、締め付け部であり、「３１６ａ'」は、係止部材であり、「３３０」は、ワイヤ出没手段である。更に、図示していないが、前記締め手段に複数個のワイヤ出没手段を備えて足甲部と足首部とに個別的なワイヤを備え、それぞれのワイヤを一律的に巻き取り又は巻き出させてブーツの締め力を調節することができる。
【００５５】
本実施形態におけるスノーボード用ビンディングにブーツを固定させる過程は、前述の実施形態と同一であり、ただし、ストラップ３００がブーツＢの足甲だけでなく、足首部まで一度に覆うことができるように足首部に二つの固定部材３１４と結着手段３１６とが備えられ、足首部に一つの固定部材３１４と結着手段３１６とが備えられることによって、更に広範囲にわたってブーツＢの固定力を上昇させることができるという利点がある。
【００５６】
（第４の実施形態）
本願発明の好ましい実施形態に係るスノーボード用ビンディングは、図２２〜図２４に示すように、ベースプレート４０２と、ストラップ４１０と、締め手段４２０とからなり、ベースプレート４０２は、前述の実施形態と同じ構造と機能をするので、詳細な説明を省略する。
【００５７】
ただし、本実施形態は、前述の実施形態とは異なり、前記ストラップ４１０の一側又は両側がベースプレート４０２から分離されず、前記ベースプレート４０２からストラップ４１０を離隔させて形成された空間を活用し、離隔空間を介してブーツＢに装脱着をするものである。前記ストラップ４１０は、前記ブーツＢの足甲部、又は足甲部から足指部まで位置し、その足甲部、又は足甲部と足指部とに同時に接した状態で加圧することによって、ブーツＢを更に堅固に固定させる機能を果たし、接触部材４１２と、第１の固定部材及び第２の固定部材４１４、４１６と、被覆材４１８と、ワイヤＷとからなる。本実施形態では、前記ストラップ４１０が足甲部と足指部とを加圧できるようにする。ここで、前記被覆材４１８及びワイヤＷは、前述の実施形態と同じ構造と機能をするので、詳細な説明を省略する。
【００５８】
前記接触部材４１２は、軟質の織物又は合成樹脂材が用いられ、防水性が求められる。また、前記ブーツＢの足甲部と足指部とを同時に覆うことができるように適正面積をもって備えられる。前記第１の固定部材４１４は、前記接触部材４１２から適正間隔ほど離隔した位置にそれぞれ備えられる。そして、一端は、半円状に形成されてベースプレート４０２にボルト締めで固定され得る。すなわち、前記第１の固定部材４１４は、前記接触部材４１２の両側の先端にそれぞれ備えられて、前記ベースプレート４０２の両側の先端にそれぞれ固定できるように設けられる。
【００５９】
前記第２の固定部材４１６は、前記接触部材４１２から適正間隔ほど離隔した位置にそれぞれ備えられる。そして、一端は、半円状に形成され、他端は、一端の幅より半分程度減少され、かつ、延長したガイド部４１６ａが一体形成されて、ベースプレート４０２にボルト締めで固定され得る。すなわち、前記第２の固定部材４１６は、前記接触部材４１２の両側の後端に、上端であるガイド部４１６ａが「Ｘ」字状にそれぞれ挿入され、下端は、前記ベースプレート４０２の両側の後端にそれぞれ固定される。ここで、前記接触部材４１２を上方に離隔させる場合、接触部材４１２とベースプレート４０２との離隔間隔を維持するように、上端にガイド部４１６ａが一体形成されるのである。つまり、前記第２の固定部材４１６のガイド部４１６ａが、前記接触部材４１２の内部で交差しながら湾曲状態で備えられており、ブーツＢに固定するために前記接触部材４１２を引っ張ると、前記ガイド部４１６ａに沿って前記接触部材４１２が上昇し、柔軟なガイド部４１６ａの復元力が加えられるようになり、復元力により上昇した前記接触部材４１２の位置を維持するようになる。前記ガイド部４１６ａは、前記接触部材４１２の上昇の際、案内し、かつ、離隔時に移動しないように離隔位置を維持できるようにするのである。
【００６０】
特に、前記被覆材４１８は、第１の固定部材４１４に適用する場合、前述の実施形態のように、複数個が用いられるが、前記第２の固定部材４１６に適用する場合、前記ガイド部４１６ａが存在するため、１個を用いるようになる。前記締め手段４２０は、図２５〜図２７に示すように、前記接触部材４１２の中心地点に固定される。前記締め手段４２０は、下端が前記ストラップ４１０の内部に位置し、上端は、前記ストラップ４１０の外部に露出し、内部にワイヤＷの両端が対向した状態で固定される。そうすると、前記締め手段４２０は、巻き取られた前記ワイヤＷを強制的に巻き出し、当該巻き出されたワイヤＷを強制的に巻き取る機能を果たし、上部胴体及び下部胴体４２１、４２２と、上部結合部材４２３と、ロック部材４２４と、下部結合部材４２５と、結合部材４２６と、ワイヤ出没手段４３０とで構成される。
【００６１】
前記上部胴体４２１は、取っ手であって、その直径は大きいものが手で把持するときに容易であり、あまり直径が大きいと、ボーディングの際に不便なこともあるため、適正の直径に形成する。更に、前記上部胴体４２１は、その周面に複数個の波紋状の突起が放射状に突出形成されて、手で把持するときに滑ることを防止する。そして、前記上部胴体４２１は、下端が開口した円筒形状で中心部に孔が形成される。また、前記上部胴体４２１は、前記孔の下端内周面に放射状に突出した歯係止部材４２１ｂが形成され、前記歯係止部材４２１ｂの上端内周面に直径が縮小されたテーパ部が形成され、前記テーパ部の上端周面に半円溝が形成され、複数個の係止突起４２１ｃが、開口した一端の底面に後端が結合されて放射状に備えられる。前記係止突起４２１ｃは、後述の上部結合部材４２３のラチェット４２３ａに位置する。
【００６２】
一方、前記係止突起４２１ｃは、柔軟であり、製造の便宜のため、前記上部胴体４２１と一体で形成されることが好ましく、さらには、射出成形（ｉｎｊｅｃｔｉｏｎ  ｍｏｌｄｉｎｇ）することが好ましい。ここで、前記係止突起４２１ｃは、前記ラチェット４２３ａに接し得るように、このラチェット４２３ａに向かって傾斜した状態で突出し、前記上部胴体４２１がいずれか一つの方向、すなわち、反時計方向には回転しないようにし、時計方向に回転するようにして、動力を提供できるよう形成される。
【００６３】
つまり、前記上部胴体４２１が時計方向に回転すると、前記ラチェット４２３ａの歯の傾斜面に沿って係止突起４２１ｃが移動し、この上部胴体４２１が回転するが、反時計方向に回転すると、前記係止突起４２１ｃの終端が前記ラチェット４２３ａの歯の垂直面にかかって、反時計方向に回転できなくなる。前記下部胴体４２２は、前記上部胴体４２１と対向し、上端が開口した円筒形状で接触部材４１２に固定するときの容易性を求めるために、外周面の上端に拡張部４２２ａが形成され、内周面のうち、対向した上端に溝部４２２ｂがそれぞれ形成されて前記溝部４２２ｂに、後述のワイヤ出没手段４３０が固定される。
【００６４】
前記上部結合部材４２３は、後述の前記下部結合部材４２５と前記上部胴体４２１との間に介在し、下部結合部材４２５の外径より大きな内径を有し、上部胴体１２１の内径より小さな外径を有するように形成される。そして、前記上部結合部材４２３の上面には、三角形状の歯が放射状に備えられたラチェット４２３ａが突出されるように形成される。前記ロック部材４２４は、前記上部胴体４２１の中心部の孔内部に位置して昇降され、前記上部胴体４２１を上昇させて、当該上部胴体４２１が回転できるようにロックを実施したり、前記上部胴体４２１を下降させて、当該上部胴体４２１が空転できるように解除を実施する機能を果たす。
【００６５】
ここで、前記ロック部材４２４は、上端の直径が下端の直径より拡大された段差形状を有する。前記ロック部材４２４は、上端に、前記上部胴体４２１の中心部の孔上端に形成された半円溝に相応する形状を有し、外周面に放射状に溝４２４ａが複数形成されて、前記溝４２４ａの間隔が上部胴体４２１の中心部の孔のうち、半円溝に移動する場合は収縮し、テーパ部に移動する場合は弛緩する過程を繰り返す。前記下部結合部材４２５は、後述の前記ワイヤ出没手段４３０の両端に備えられたギア部４３６と接触して連動できるように底面の一端にギア４２５ｂが形成され、下部結合部材４２５の１回転の際、ギア比によってワイヤ出没手段４３０のギア部４３６が複数回転する。すなわち、前記下部結合部材４２５のギア４２５ｂ数が５０個であり、ギア部４３６のギア数が５個であれば、下部結合部材４２５が１回転する場合、前記ギア部４３６は１０回転する。
【００６６】
また、前記下部結合部材４２５は、下端が開口した円筒形状であり、上面の中心部に角突出部４２５ａが形成され、前記角突出部４２５ａの上端に縦軸４２５ｃが形成される。ここで、前記縦軸４２５ｃには後述の停止ギア４２７と、上部胴体４２１と、ロック部材４２４と、結合部材４２６とが挿入されて、前記結合部材４２６の上側で、締め付けねじＰによって下部結合部材４２５の縦軸４２５ｃに固定されるように締め付けられる。そして、前記上部胴体４２１は昇降し、上部胴体４２１と下部結合部材４２５とは一律的に連動して回動し、上部結合部材４２３及び下部胴体４２５とは共に停止状態で備えられる。
【００６７】
前記結合部材４２６は、上端の外径が下端の外径より大きな段差を形成し下端が前記ロック部材４２４の中心部に挿入され、前記縦軸４２５ｃの上端が中心部に部分的に挿入されるように孔が段差をもって形成される。前記停止ギア４２７は、前記上部胴体４２１の中心部の孔のうち、前記歯係止部材４２１ｂの間隔に相応する歯が放射状に形成される。前記停止ギア４２７は、歯係止部材４２１ｂに噛まれた状態で位置すると、前記上部胴体４２１の回転力が下部結合部材４２５に伝達されてワイヤＷの巻き取りが可能であり、前記停止ギア４２７が前記歯係止部材４２１ｂから離脱すると、前記上部胴体４２１の回転力が下部結合部材４２５に伝達されず、空転してワイヤＷの巻き出しの際、前記下部伝達部材４２５がワイヤ出没手段４３０のギア部４３６によって回転しても前記上部胴体４２１が連動しない。したがって、時計方向にのみ回転する上部胴体４２１の回転方向を維持する。
【００６８】
また、前記停止ギア４２７の下端に、後述の前記下部結合部材４２５の角突出部４２５ａに相応する角溝４２７ａが段差をもって形成される。すなわち、前記角溝４２７ａが、前記下部結合部材４２５の角突出部４２５ａに挿入されて、前記上部胴体４２１と下部結合部材４２５とが連動する。ここで、前記角溝４２７ａと角突出部４２５ａとは八角形に形成され、これに限定せず、様々な変更実施が可能である。
【００６９】
なお、前記停止ギア４２７は、常時、ワイヤ出物手段４３０のギア部４３６に前記下部結合部材４２５のギア４２５ａ歯が噛まれた状態を維持する。そして、前記上部胴体４２１の歯係止部材４２１ｂが、停止ギア４２７の歯が噛まれると、時計方向にのみ回転する前記上部胴体４２１を回転させてワイヤＷを巻き取ることができ、歯を噛まなければ、ワイヤＷの巻き出しの際、ワイヤ出物手段４３０のギア部４３６が回転し、前記ギア部４３６が下部結合部材４２５を回転させても上部胴体４２１に伝達されないため、時計方向にのみ回転する上部胴体４２１が停止状態を維持する。つまり、前記上部胴体４２１を上方に引っ張ると、上部胴体４２１の中心部の孔のうち、半円溝に位置したロック部材４２４の上端が、前記半円溝の下端に形成されたテーパ部の方へ移動するようになり、かつ、前記歯係止部材４２１ｂが停止ギア４２７の歯から離脱するので、前記上部胴体４２１が空転して前記下部結合部材４２５の回転力が伝達されず、ワイヤＷの巻き出しが可能である。
【００７０】
反対に、前記上部胴体４２１を下方に加圧すると、上部胴体４２１の中心部の孔のうち、テーパ部に位置したロック部材４２４の上端が、前記テーパ部の上端に形成された半円溝の方へ移動するようになり、前記歯係止部材４２１ｂが停止ギア４２７の歯に噛まれた後、時計方向にのみ回転する上部胴体４２１の回転力が下部結合部材４２５に伝達されるので、ワイヤＷの巻き取りが可能である。
【００７１】
前記キャップ４２８は、前記上部胴体４２１の上面に位置が固定され、結合部位が露出しないようにして美観を美麗にし、維持補修の際に分離させることができる。前記ワイヤ出没手段４３０は、前記下部胴体４２２の一端に備えられるワイヤＷを外力によって巻くとき、遊星歯車列によって伝達荷重を分散させて少ない力で上部胴体４２１を回転させることができる機能を果たす。そして、前記ワイヤ出没手段４３０は、ハウジング４３１と、回転部材４３２と、遊星ギア４３３と、サンギア４３４と、横軸４３５と、ギア部４３６とで構成される。前記ハウジング４３１は、両端が円形に開口した四角筒状で、対向する外面にワイヤＷが出没する孔が形成され、内周面の一端にリングギア４３１ａが形成され、側面にカバー４３７が小さいねじによって固定される。前記回転部材４３２は、前記ハウジング４３１の内部に備えられてワイヤＷの出没の際に回転し、両端が中間端より直径が拡大され、段差のある円筒形状で、中間端の外周面のうち、対向する位置にワイヤ挿入孔４３２ａがそれぞれ形成され、一側面に放射状に突出した３個の軸４３２ｂが形成される。ここで、前記ワイヤ挿入孔４３２ａは、その内部にワイヤＷの両端がそれぞれ挿入され、ワイヤ挿入孔４３２ａと直交した外側に締めボルト４３２ｃによって前記ワイヤＷを位置固定させる。
【００７２】
一方、前記回転部材４３２は、出力軸により前記ハウジング４３１のリングギア４３１ａが固定され、後述する遊星ギア４３３及びサンギア４３４が回転しながら大きなトルクを発生するため、少ない力でも容易に回転させることができる。ここで、遊星歯車列によるギア比は、既に公知となった事項であるため、詳細な説明を省略する。前記遊星ギア４３３は、前記回転部材４３２の軸４３２ｂにそれぞれ挿入されて、ハウジング４３１のリングギア４３１ａに接した状態で自転及び空転を同時に行い、本実施形態では３個が備えられる。また、前記遊星ギア４３３は、前記回転部材４３２の軸４３２ｂから離脱することを防止するために、前記軸４３２ｂの終端に固定部材（図示せず）で仕上げる。前記サンギア４３４は、前記遊星ギア４３３と一律的に接した状態で回転する入力軸である。前記サンギア４３４は、それぞれの遊星ギア４３３の中心部に備えられた状態で自転する。
【００７３】
つまり、前記下部結合部材４２５が回転すると、当該下部結合部材４２５のギア４２５ｂに噛み合ったギア部４３６によってサンギア４３４、遊星ギア４３３、及び回転部材４３２が回転し、当該回転部材４３２に固定されたワイヤＷが巻かれる。前記上部胴体４２１と連動する下部結合部材４２５を回転させると、前記下部結合部材４２５のギア４２５ｂに噛み合った入力軸のサンギア４３４及び遊星ギア４３３を経て、出力軸の回転部材４３２が回転する。前記横軸４３５は、一端に前記サンギア４３４から回転部材４３２を経て他端にギア部４３６まで連通する中心軸方向に位置し、他端には、ベアリングによって下部胴体４２２の溝部４２２ｂに位置固定される。
【００７４】
前記ギア部４３６は、下部結合部材４２５のギア４２５ｂが昇降しながら前記ギア４２５ｂと歯が噛まれるか、又は離脱する。前記ワイヤＷは、耐久性を要する鉄線が望ましく、締め手段４２０の左側上端に終端が固定される。前記ワイヤＷは、ストラップ４１０の左側上端に備えられる被覆材４１８、第２の固定部材４１６、及びガイド部４１６ａの内部に沿って連結され、第２の固定部材４１６と水平線上に対向する第２の固定部材４１６の被覆材４１８、第２の固定部材４１６、及びガイド部４１６ａの内部に沿って連結されて、対角方向である二つの被覆材４１８及び左側下端の第１の固定部材４１４の内部に沿って二つの被覆材４１８及び右側下端の第１の固定部材４１４の内部に連結され、締め手段４２０の右側下端に終端が固定されて中間部分で交差する形状で配置される。
【００７５】
ここで、前記ワイヤＷを締め手段４２０の作動によって巻き取ると、まず、このワイヤＷの終端がそれぞれ固定された地点で対角位置であるそれぞれの左側上端に備えられた第２の固定部材４１６と右側下端に備えられた第１の固定部材４１４とが内側方向に同時に移動し、その後、左側下端に備えられる第１の固定部材４１４と右側上端に備えられた第２の固定部材４１６とが内側方向に同時に移動する。そして、前記ワイヤＷ及び第２の固定部材４１６の位置を制限するために、接触部材４１２の上端中心部、下端中心部、及びガイド部４１６ａが位置する部分には水平方向の管や上下端を裁縫する織物又は合成樹脂材を備える。更に、図示していないが、前記締め手段に複数個のワイヤ出没手段を備えて足甲部及び足首部に個別的なワイヤを備え、それぞれのワイヤを一律的に巻き取り又は巻き出させてブーツＢの締め力を調節することができる。
【００７６】
本実施形態におけるスノーボード用ビンディングにブーツを固定させる過程は、図２４〜図２７に示すように、まず、前記上部胴体４２１が下降した状態であれば、当該上部胴体４２１を上方に引っ張って歯係止部材４２１ｂを停止ギア４２７から離脱させ、下部結合部材４２５の回転力が伝達しないようにする。このとき、前記上部胴体４２１を上方に引っ張ると、当該上部胴体４２１の中心部の孔のうち、半円溝に位置したロック部材４２４の上端が前記半円溝の下端に形成されたテーパ部の方へ移動するようになり、前記歯係止部材４２１ｂが停止ギア４２７の歯から離脱するため、前記上部胴体４２１が空転して前記下部結合部材４２５の回転力が上部胴体４２１に伝達されないので、ワイヤＷの巻き出しが可能である。また、前記接触部材４１２の上方への離隔の際、前記第２の固定部材４１６のガイド部４１６ａが、前記接触部材４１２の上昇時に案内しながら離隔する場合、移動しないように離隔位置を維持する。
【００７７】
その後、前記ストラップ４１０の接触部材４１２を上方に引っ張ると、前記接触部材４１２が上方に離隔しながら前記接触部材４１２とベースプレート４０２との離隔空間が形成され、その空間にブーツＢを挿入して前記ベースプレート４０２及びハイバック４０４に密着するよう定着する。なお、前記締め手段４２０の前記上部胴体４２１を下方に加圧すると、当該上部胴体４２１の中心部の孔のうち、テーパ部に位置したロック部材４２４の上端が前記テーパ部の上端に形成された半円溝の方に移動するようになり、前記歯係止部材４２１ｂが停止ギア４２７の歯に噛まれた後、時計方向にのみ回転する上部胴体４２１の回転力が下部結合部材４２５に伝達されるので、ワイヤＷの巻き取りが可能である。
【００７８】
その後、時計方向にのみ回転する前記上部胴体４２１を回転させると、前記下部結合部材４２５のギア４２５ｂが接するワイヤ出没手段４３０のギア部４３６が回転し、前記横軸４３５の他端に固定されたサンギア４３４も連動して回転する。ここで、前記サンギア４３４が回転するとともに、サンギア４３４と外接する遊星ギア４３３を回転させ、当該遊星ギア４３３がハウジング４３１のリングギア４３１ａに沿って自転及び空転しながら前記回転部材４３２を回転させる。更に、サンギア４３４を回転させて連動的に遊星ギア４３３と回転部材４３２とを回転させる過程において、遊星歯車列によるギア比によって回転部材４３２を減速させるため、サンギア４３４を少ない力でも回すことができる。このとき、前記回転部材４３２の周面に備えられたワイヤＷが回転部材４３２に巻かれる過程において、前記上部胴体４２１の係止突起４２１ｃによって上部結合部材４２３のラチェット４２３ａに接し、時計方向に動力が伝達されるように回転し、反時計方向に上部胴体４２１が回転しないようにする。このように、前記上部胴体４２１を回転させると、ワイヤ出没手段４３０の回転部材４３２に両端が固定されたワイヤＷが巻かれ始める。
【００７９】
また、前記ワイヤＷが張ったまま回転部材４３２に巻き取られ始めると、右側下端の第１の固定部材４１４と左側上端の第２の固定部材４１６とに先に引力を発生させ、右側上端の第２の固定部材４１６及び左側下端の第１の固定部材４１４に引力を発生させるようになる。すなわち、前記ワイヤＷが締め手段４２０によって巻き取られ始めると、右側下端の第１の固定部材４１４及び左側上端の第２の固定部材４１６と接触部材４１２との間隔が同時に狭まった後、前記右側上端の第２の固定部材４１６及び左側下端の第１の固定部材４１４と接触部材４１２との間隔が同時に狭まり、結局、ベースプレート４０２とストラップ４１０との空間が狭くなるにつれて、空間に位置するブーツＢを加圧する。
【００８０】
ここで、前記ワイヤＷの締め力が前記第１の固定部材４１４と第２の固定部材４１６とが離隔した接触部材４１２に移動する場合、当該第１の固定部材４１４及び第２の固定部材４１６と接触部材４１２との間に介在した被覆材４１８が収縮し、被覆材４１８の内部に備えられる弾性部材Ｓによって前記被覆材４１８の形状変形を減少させる。逆に、前記ブーツＢをビンディング４００から分離しようとする場合、前記上部胴体４２１を上方に引っ張ると、上部胴体４２１の中心部の孔のうち、半円溝に位置したロック部材４２４の上端が、前記テーパ部の方へ移動するようになり、前記歯係止部材４２１ｂが停止ギア４２７の歯から離脱するため、前記上部胴体４２１が空転して前記下部結合部材４２５の回転力が上部胴体４２１に伝達されないので、ワイヤＷの再度の巻き出しが可能である。
【００８１】
それから、前記接触部材４１２を手で把持した後、引っ張ってワイヤＷがワイヤ出没手段４３０を介して伸張するので、ベースプレート４０２と前記接触部材４１２との空間を広げた後、ブーツＢを分離することができる。また、本実施形態におけるストラップ４１０に適用される締め手段４２０は、前述の実施形態である第１実施形態の締め手段１２０を適用することもできる。一方、前記ワイヤＷは、それぞれの固定部材１１４及び装脱着部１１６ａを経て締め手段１２０に両端が対向するよう固定することによって、前記ワイヤＷの巻き取りの際、前記固定部材１１４及び装脱着部１１６ａ方向に接触部材１１２を引っ張ってブーツＢを固定するが、図２１に示すように、ストラップ１１０において、前記ワイヤＷを接触部材１１２の一側前後に備えられる装脱着部１１６ａに連結させて締め手段１２０を動作させることによってワイヤＷを巻き取ると、前記装脱着部１１６ａでのみ接触部材１１２が引っ張られるよう備えられる。
【００８２】
すなわち、前記締め手段１２０を作動させると、ワイヤＷが結着手段１１６の装脱着部１１６ａのみを経て連結されるので、前記被覆材１１８が収縮しながら装脱着部１１６ａ方向に接触部材１１２が移動してブーツＢを加圧するようになる。ここで、前記固定部材１１４と接触部材１１２との間にはワイヤＷを通過させないため、被覆材１１８を備えず、板状の合成樹脂材を介在してそれぞれを連結する。また、説明しない符号「１１６ｂ」は、締め付け部であり、「１１６ａ'」は、係止部材であり、「１３０」は、ワイヤ出没手段である。更に、図示していないが、本願発明に適用されるストラップは、スノーボードビンディングにブーツを着用した後加圧して締め力を提供したり、分離の際、締め力を除去する場合にのみ用いられるものとして限定されず、履き物類などのように、種々の分野に応用でき、特に、医療機構のうち、添え木を用いて身体部位の形状に型を取った後、この添え木を両側に切開して分離した状態で、前記ワイヤ出没手段を用いて容易に分離又は結合が可能であるため、後続の治療のために分離又は結合する場合、再使用が可能という利点がある。
【図面の簡単な説明】
【００８３】
【図１】従来のスノーボードを示した斜視図。
【図２】本願発明の第１の実施形態に係るスノーボード用ビンディングの左側面図。
【図３】本願発明の第１の実施形態に係るスノーボード用ビンディングの右側面図。
【図４】本願発明の第１の実施形態に係るストラップを展開した平面図。
【図５】本願発明の第１の実施形態に係るストラップの斜視図。
【図６】本願発明の第１の実施形態に係るストラップの固定部材を示した部分断面図。
【図７】本願発明の第１の実施形態に係るストラップの装脱着部を示した部分断面図。
【図８】本願発明の第１の実施形態に係るストラップの締め手段を示した分解斜視図。
【図９】本願発明の第１の実施形態に係るストラップの締め手段を示した側断面図。
【図１０】本願発明の第１の実施形態に係る締め手段の作動状態を部分図示した側断面図。
【図１１】本願発明の第１の実施形態に係る締め手段の変形例による作動状態を部分図示した側断面図。
【図１２】本願発明の第１の実施形態に係るストラップに複数個のワイヤ出没手段を備えた状態を示した平面図。
【図１３】本願発明の第１の実施形態に係る結着手段を示した分離斜視図。
【図１４】本願発明の第１の実施形態に係る結着手段を示した分離斜視図。
【図１５】本願発明の第２の実施形態に係るスノーボード用ビンディングの左側面図。
【図１６】本願発明の第２の実施形態に係るスノーボード用ビンディングの右側面図。
【図１７】本願発明の第２の実施形態に係るストラップを展開した平面図。
【図１８】本願発明の第３の実施形態に係るスノーボード用ビンディングの左側面図。
【図１９】本願発明の第３の実施形態に係るスノーボード用ビンディングの右側面図。
【図２０】本願発明の第３の実施形態に係るストラップを展開した平面図。
【図２１】本願発明の第１の実施形態に係るストラップに備えられるワイヤの他の配置を展開した平面図。
【図２２】本願発明の第４の実施形態に係るスノーボード用ビンディングの左側面図。
【図２３】本願発明の第４の実施形態に係るスノーボード用ビンディングの右側面図。
【図２４】本願発明の第４の実施形態に係るストラップを展開した平面図。
【図２５】本願発明の第４の実施形態に係るストラップの締め手段を示した分解斜視図。
【図２６】本願発明の第４の実施形態に係るストラップの締め手段の作動状態を示した側断面図。
【図２７】本願発明の第４の実施形態に係るストラップの締め手段の作動状態を示した側断面図。
【図１】
2009505772.tif 000003
【図２】
2009505772.tif 000004
【図３】
2009505772.tif 000005
【図４】
2009505772.tif 000006
【図５】
2009505772.tif 000007
【図６】
2009505772.tif 000008
【図７】
2009505772.tif 000009
【図８】
2009505772.tif 000010
【図９】
2009505772.tif 000011
【図１０】
2009505772.tif 000012
【図１１】
2009505772.tif 000013
【図１２】
2009505772.tif 000014
【図１３】
2009505772.tif 000015
【図１４】
2009505772.tif 000016
【図１５】
2009505772.tif 000017
【図１６】
2009505772.tif 000018
【図１７】
2009505772.tif 000019
【図１８】
2009505772.tif 000020
【図１９】
2009505772.tif 000021
【図２０】
2009505772.tif 000022
【図２１】
2009505772.tif 000023
【図２２】
2009505772.tif 000024
【図２３】
2009505772.tif 000025
【図２４】
2009505772.tif 000026
【図２５】
2009505772.tif 000027
【図２６】
2009505772.tif 000028
【図２７】
2009505772.tif 000029
【国際調査報告】
2009505772.tif 000030
2009505772.tif 000031